(57)【要約】【課題】給湯器本体から接続されているリモコンへリモコン機能情報を渡し、リモコンにて情報を参照し、必要な処理を選択することにより１種類のリモコンにて全ての機種、リモコン種に対応することができる。【解決手段】給湯器本体１の各機能有無情報およびリモコン６、１３個別のリモコン機能情報をリモコン６、１３へ送信する送信手段３を持った給湯器本体１と給湯器本体１からの情報を受信する受信手段８、１５および給湯器機能選択を行う給湯器機能選択手段１１、１８および全リモコン機能から必要なリモコン機能を選択するリモコン機能選択手段１２、１９を持ったリモコンを特徴とするリモコン給湯器。【選択図】図１
2006112782.tif 000002
【特許請求の範囲】
【請求項１】
給湯器本体と、異なる操作部構成を有し異なる場所に設置されて前記給湯器本体に接続される給湯リモコン及びふろリモコンと、前記給湯器本体に備えられ、給湯器の各機能有無情報を前記各リモコンへ送信する送信手段と、前記各リモコンに備えられ、前記送信手段からの情報を受信する受信手段と、前記受信手段が受信した情報に基づいて予め保有する給湯機能情報及びリモコン機能情報より必要な処理を行う給湯機能選択手段及びリモコン機能選択手段とを有し、前記送信手段は、送信先リモコンを指定した給湯機能情報及びリモコン機能情報パケットを順次送信し、前記給湯機能選択手段及びリモコン機能選択手段は、前記パケット情報に基づき各リモコン毎に異なる処理を行い、異なる操作部構成に対応して各リモコン特有の動作を行うようにしたリモコン給湯器。
【請求項２】
給湯器本体はリモコン毎のリモコン機能情報を記憶した記憶素子を有する請求項１記載のリモコン給湯器。
【請求項３】
送信手段は電源投入後、各リモコンへ給湯機能情報及びリモコン機能情報を順次送信し、各リモコンは送信手段からの前記給湯機能情報及びリモコン機能情報を受信するまで操作内容を受け付けない操作手段を有する請求項１記載のリモコン給湯器。
【請求項４】
各リモコンは給湯器本体の送信手段からの給湯機能情報及びリモコン機能情報を受信するまでの間、操作内容を受け付けないことを表示する表示手段を有する請求項３記載のリモコン給湯器。
【発明の詳細な説明】
【技術分野】
【０００１】
本発明は、給湯器本体と複数のリモコン間で有線にて操作信号や運転状態等の運転信号を送受信するリモコン給湯器に関するものである。
【背景技術】
【０００２】
従来、給湯器は機能、構成により複数の機種が存在しているため、各機種を遠隔操作するリモコンは機種別に作成されていた。また１台の給湯器本体に複数のリモコンが接続可能であるが、各リモコンは設置場所によりアドレスが割当てられており設置場所、使用目的の違いにより操作部の構成が異なるためさらにアドレス別にリモコンが作成されていた。
【発明の開示】
【発明が解決しようとする課題】
【０００３】
しかしながら上記のような給湯器では一機種に対し、複数の接続可能なリモコンの準備が必要であり、また一機種の一アドレスのリモコンと固定されており異機種、または異アドレスのリモコンでは使用できないという課題を有していた。
【課題を解決するための手段】
【０００４】
上記の課題を解決するために本発明のリモコン給湯器は、給湯器本体と、異なる操作部構成を有し異なる場所に設置されて前記給湯器本体に接続される給湯リモコン及びふろリモコンと、前記給湯器本体に備えられ、給湯器の各機能有無情報を前記各リモコンへ送信する送信手段と、前記各リモコンに備えられ、前記送信手段からの情報を受信する受信手段と、前記受信手段が受信した情報に基づいて予め保有する給湯機能情報及びリモコン機能情報より必要な処理を行う給湯機能選択手段及びリモコン機能選択手段とを有し、前記送信手段は、送信先リモコンを指定した給湯機能情報及びリモコン機能情報パケットを順次送信し、前記給湯機能選択手段及びリモコン機能選択手段は、前記パケット情報に基づき各リモコン毎に異なる処理を行い、異なる操作部構成に対応して各リモコン特有の動作を行うようにしたものである。
【０００５】
本発明は上記した手段によれば、給湯器本体の送信手段にて接続される複数のリモコンの情報を各リモコン毎に送信すると、リモコンは受信手段にて給湯機能情報及びリモコン情報を受信すると、給湯機能選択手段及びリモコン機能選択手段にて必要な給湯器の機能及びリモコン機能を選択してリモコン毎の動作をすることができる。
【発明の効果】
【０００６】
以上のように本発明によれば、給湯器本体の機能の有無の情報をリモコンへ送信するため、リモコンは全機能を搭載したリモコンを１つ作っておけば、そのリモコンはどの機種の給湯器に接続されても使用することができる。
【０００７】
また、給湯器本体からリモコンへ本体機能の有無の情報と共に各リモコン毎に必要な情報を送信することにより、リモコンを変更しなくても給湯器本体を変更するだけでリモコン仕様を変更することができる。
【０００８】
また、リモコン情報を給湯器本体の記憶素子に記憶させることにより、記憶素子の内容を変更するだけで複数のリモコン仕様を変更することができ、かつ容易に記憶素子の内容を変更することができる。
【０００９】
また、リモコンは給湯器機能情報およびリモコン機能情報を受信するまで操作を受け付けないことにより、上記情報を受けるまでの間の内容が確定していない操作を有効にしないことができる。
【００１０】
また、給湯器本体より給湯器機能情報およびリモコン機能情報を受信するまでの間操作内容を受け付けないことを表示手段に表示することにより、操作内容が受付られないがリモコンが正常状態であることをユーザに知らせることができ、故障と間違われることを防ぐことができる。
【発明を実施するための最良の形態】
【００１１】
本発明のリモコン給湯器は、給湯器本体と、異なる操作部構成を有し異なる場所に設置されて前記給湯器本体に接続される給湯リモコン及びふろリモコンと、前記給湯器本体に備えられ、給湯器の各機能有無情報を前記各リモコンへ送信する送信手段と、前記各リモコンに備えられ、前記送信手段からの情報を受信する受信手段と、前記受信手段が受信した情報に基づいて予め保有する給湯機能情報及びリモコン機能情報より必要な処理を行う給湯機能選択手段及びリモコン機能選択手段とを有し、前記送信手段は、送信先リモコンを指定した給湯機能情報及びリモコン機能情報パケットを順次送信し、前記給湯機能選択手段及びリモコン機能選択手段は、前記パケット情報に基づき各リモコン毎に異なる処理を行い、異なる操作部構成に対応して各リモコン特有の動作を行うようにしたものである。
【００１２】
そして、給湯器本体の送信手段にて接続される複数のリモコンの情報を各リモコン毎に送信すると、リモコンは受信手段にて給湯機能情報及びリモコン情報を受信すると、給湯機能選択手段及びリモコン機能選択手段にて必要な給湯器の機能及びリモコン機能を選択してリモコン毎の動作をすることができる。
【００１３】
また給湯器本体に、リモコン毎のリモコン機能情報を記憶した記憶素子を有するものである。
【００１４】
そして、この手段によれば、給湯器本体のリモコン記憶素子にリモコン情報を記憶させると、記憶素子の内容を変更するだけで複数のリモコンのリモコン機能を変更することができる。
【００１５】
また、送信手段は電源投入後、各リモコンへ給湯機能情報及びリモコン機能情報を順次送信し、各リモコンは送信手段からの前記給湯機能情報及びリモコン機能情報を受信するまで操作内容を受け付けない操作手段を有するものである。
【００１６】
そして、リモコンは受信手段にて、給湯器に電源投入後、給湯器本体の送信手段からリモコンへ給湯機能情報及びリモコン機能情報を受信するまでは操作手段の操作内容を受け付けないことにより、上記情報を受けるまでの間の内容が確定していない操作を有効にしないことができる。
【００１７】
また、リモコンは給湯器本体の送信手段からの給湯機能情報及びリモコン機能情報を受信するまでの間、操作内容を受け付けないことを表示する表示手段を有するものである。
【００１８】
そして、この手段によれば、リモコンが、給湯器本体よりの送信手段より給湯機能情報及びリモコン機能情報を受信するまでの間、操作内容を受け付けないことを表示手段に表示することにより、操作内容が受付られないがリモコンが正常状態であることをユーザに知らせることができる。
【００１９】
（実施例）
以下、本発明の一実施例を図面を用いて説明する。図１において、１はリモコン６、１３と通信する給湯器本体、２はリモコン６、１３からのデータを受信する受信手段、３はリモコン６、１３へ送信する送信手段、４は記憶素子、５は給湯機本体を制御する給湯機制御手段である。
【００２０】
リモコン６、１３は、給湯器本体１へ信号を送信する送信手段７、１４、給湯器本体１からの給湯器機能情報およびリモコン機能情報、また給湯器の運転情報を受信する受信手段８、１５、給湯器機能選択を行う給湯器機能選択手段１１、１８、リモコン機能選択を行うリモコン機能選択手段１２、１９、操作手段の内容が有効とならない間、操作信号無効表示を行う表示手段９、１６、給湯器本体１の運転条件を入力指示する操作手段としてのスイッチ１０、１７等を備えている。
【００２１】
上記した構成に基づき、以下の動作について説明する。図２（ア）に示す通信パケットを用いて、給湯器本体１の送信手段３から前記情報を送信し、リモコン６、１３は受信手段８、１５にて前記情報を受信することができる。図中のＡ部が給湯器機能情報部分である。またリモコン６、１３は全ての機能に対応した処理をあらかじめ持っており、必要な時に給湯器機能選択手段１１、１８にて給湯器機能情報を参照し、必要な処理のみを行う。
【００２２】
実施例を用いて説明すると、図２（イ）は給湯器本体１から浴室リモコン１３に送信される給湯器機能情報パケットである。図中の斜線部は追いだきオート、または追いだきセミオートの機能の選択情報部であり、１ビットで表現されており、’１’で追いだきオート、’０’で追いだきセミオート機能を示す。
【００２３】
リモコン１３には追いだきオート機能に必要な処理、追いだきセミオート機能に必要な処理の両方が搭載されており、図３に示す様にリモコン１３にて追いだきオンが操作されると、図２（イ）の追いだき機能情報部は’０’となっているため、追いだきセミオート機能の処理（追いだきタイマ残分表示処理）のみが実行される。
【００２４】
また図２（ア）中Ｂ部分がリモコン機能情報部である。このパケットを用いて、給湯器本体１の送信手段３から前記情報を送信し、リモコン６、１３はパケット中の送信先が自分であれば受信手段８、１５にて受信を行う。
【００２５】
またリモコン６、１３全てのリモコン機能をあらかじめ持っており、リモコン機能選択手段１２、１９にて前記情報で指示された機能のみを使う様にする。
【００２６】
実施例を用いて説明すると、表１はスイッチ機能とスイッチ機能番号の対応表である。
【００２７】
【表１】
2006112782.tif 000003
【００２８】
図４（ア）はマトリックス上のスイッチとのスイッチ配置番号を示したものである。図２（ア）のＢ部分に示す様に、リモコン機能情報にはリモコンのスイッチ配置毎にスイッチ機能番号を割り当てた情報となっている。
【００２９】
給湯器本体１の送信手段３からリモコン６に図２（ウ）の情報を送信先リモコンをリモコン６として送信すると、リモコン６は前記パケットを受信手段８にて受信する。前記パケット中のスイッチ配置番号１にはスイッチ機能番号Ｅがしめされているため、（表１）よりスイッチ機能番号Ｅは運転スイッチに割当てられているため、図４（イ）に示す様にスイッチ配置１は運転スイッチとして機能することになる。
【００３０】
また、他のスイッチについても同様にスイッチ配置番号に示されたスイッチ機能番号の機能として使用することができる。また図２（イ）に示すパケットがリモコン１３へ送信されると、送信先リモコンがリモコン１３となっているため受信手段１５にて受信することができ、図４（ウ）に示す様にリモコン６のスイッチ配置１は同様に自動スイッチとして機能することになる。
【００３１】
また図５（ア）に示す様に給湯器本体１中の記憶素子４にリモコン毎のリモコン機能情報を記憶しておき、電源投入時に記憶内容を読み込み各リモコン６、１３へ順にリモコン機能情報を送信する。また、図５（イ）は各リモコンのスイッチ配置情報を記憶した実施例である。
【００３２】
また給湯器本体１は、順にリモコン６、１３に給湯器機能情報およびリモコン機能情報を送信するためリモコン６、１３は給湯器機能情報および自分のリモコン情報を受信するまでに時間がかかってしまう。リモコン６、１３に電源投入後前記情報を受信できるまでの間、リモコン６、１３の操作手段１０、１７を受付け無いようにする。
【００３３】
またリモコン６、１３は前記電源投入後から給湯器本体機能情報およびリモコン機能情報を受信するまでの操作手段を受け付けない間、図６に示す表示を行い、操作が受付られないことをユーザに知らせる。
【図面の簡単な説明】
【００３４】
【図１】本発明の一実施例のリモコン給湯器のブロック図
【図２】（ア）同給湯器の通信パケットを示す図（イ）同給湯器の通信パケットを示す図（ウ）同給湯器の通信パケットを示す図
【図３】同実施例のリモコンの動作フローチャート
【図４】（ア）同リモコンのスイッチ配置を示す図（イ）同給湯器の台所用リモコンのスイッチ配置を示す図（ウ）同給湯器の浴室用リモコンのスイッチ配置を示す図
【図５】（ア）同給湯器の記憶素子の情報構成を示す図（イ）同給湯器の記憶素子の情報を示す図
【図６】同給湯器のリモコンの表示図
【符号の説明】
【００３５】
１  給湯器本体
３  送信手段
４  記憶素子
６、１３  リモコン
８、１５  受信手段
９、１６  表示手段
１０、１７  操作手段
１１、１８  給湯器機能情報選択手段
１２、１９  リモコン機能選択手段
【図１】
2006112782.tif 000004
【図２】
2006112782.tif 000005
【図３】
2006112782.tif 000006
【図４】
2006112782.tif 000007
【図５】
2006112782.tif 000008
【図６】
2006112782.tif 000009